(57)【要約】【課題】ゴキブリが出没しやすい広範囲な領域に設置可能であり、高効率にゴキブリを駆除することが可能なゴキブリ捕獲用ユニットを提供する。【解決手段】箱体１０４の内部に、ゴキブリ捕獲用の捕獲材を収納可能な捕獲材収納部１２１と、ゴキブリ駆除用の駆除剤を収納可能な駆除剤収納部１２２とを備えている。箱体１０４の底面の箱体外部に、箱体１０４を壁面に取り付け可能な取付部１５３が配置されている。箱体１０４はプラスチック製であることが好ましい。【選択図】図１
2010227049.tif 000002
【特許請求の範囲】
【請求項１】
箱体の内部に、ゴキブリ捕獲用の捕獲材を収納可能な捕獲材収納部と、ゴキブリ駆除用の駆除剤を収納可能な駆除剤収納部とを備えており、
前記箱体の底面の箱体外部に、前記箱体を壁面に取り付け可能な取付部が配置されている、ゴキブリ捕獲用ユニット。
【請求項２】
前記箱体はプラスチック製である、請求項１に記載のゴキブリ捕獲用ユニット。
【請求項３】
前記取付部は磁石から構成される、請求項１または２に記載のゴキブリ捕獲用ユニット。
【請求項４】
前記取付部は前記底面の主表面に沿った方向にシート状に配置される、請求項１〜３のいずれか１項に記載のゴキブリ捕獲用ユニット。
【請求項５】
前記捕獲材は粘着性を有するシートである、請求項１〜４のいずれか１項に記載のゴキブリ捕獲用ユニット。
【請求項６】
前記駆除剤収納部には、前記駆除剤を収納するための凹部が形成されている、請求項１〜５のいずれか１項に記載のゴキブリ捕獲用ユニット。
【請求項７】
前記箱体の天板は、前記捕獲材収納部を目視するために開閉可能な第１の扉と、前記駆除剤収納部を目視するために開閉可能な第２の扉とを含む、請求項１〜６のいずれか１項に記載のゴキブリ捕獲用ユニット。
【請求項８】
前記箱体は、ゴキブリを前記箱体の内部に侵入させる侵入口を含み、
前記侵入口は、前記箱体の底面に対して一定の角度の傾斜を有する傾斜面で構成される、請求項１〜７のいずれか１項に記載のゴキブリ捕獲用ユニット。
【請求項９】
前記捕獲材収納部に収納可能な捕獲用部材を含み、前記捕獲用部材に前記捕獲材を有する、請求項１〜８のいずれか１項に記載のゴキブリ捕獲用ユニット。
【請求項１０】
前記捕獲用部材はダンボール製である、請求項９に記載のゴキブリ捕獲用ユニット。
【請求項１１】
前記捕獲用部材は箱型の形状である、請求項９または１０に記載のゴキブリ捕獲用ユニット。
【請求項１２】
前記駆除剤はゴキブリが摂取することによりゴキブリを衰弱させる毒餌である、請求項１〜１１のいずれか１項に記載のゴキブリ捕獲用ユニット。
【発明の詳細な説明】
【技術分野】
【０００１】
本発明は、ゴキブリ捕獲用ユニットに関するものであり、外食産業などにおいて業務用に使用するゴキブリ捕獲用ユニットに関するものである。
【背景技術】
【０００２】
従来より、家庭用ないし業務用にてゴキブリを駆除する手段として、たとえば粘着性シートなどのトラップを用いて捕獲する方法や、ゴキブリに毒餌を摂取させることにより衰弱ないし死滅させる方法などが用いられている。粘着性シートなどのトラップは、粘着性シートの存在する領域であるトラップに誘引されたゴキブリを、粘着性シートに密着させ、粘着性シートからの移動を不可能にする。このようにして、粘着性シートに密着したゴキブリを衰弱させ餓死（衰弱死）させる。また毒餌は、ゴキブリが摂取することにより、当該ゴキブリの消化機能を冒して衰弱（衰弱死）させる。さらに上記毒餌を摂取したゴキブリが排泄する糞に含まれる上記毒餌を他のゴキブリが摂取することにより、当該他のゴキブリにも上記毒餌の成分を摂取させる。このようにして、当該他のゴキブリも、毒餌を摂取したゴキブリと同様に衰弱（衰弱死）させる。以上の作用を一のゴキブリから他のゴキブリへ連鎖的に継続させることにより、上記毒餌はゴキブリを一時に大量駆除することができる。
【０００３】
たとえば以下の特許文献１において、粘着性シートなどのトラップと、ゴキブリに摂取させる毒餌とを併用したゴキブリ駆除装置が開示されている。これは、上述したゴキブリを駆除する各種手段を併用することにより、駆除効果を向上することを図ったものである。
【先行技術文献】
【特許文献】
【０００４】
【特許文献１】特開２００３−２５９７８６号公報
【発明の概要】
【発明が解決しようとする課題】
【０００５】
しかしながらゴキブリは行動可能な範囲が極めて広く、人間が立ち入ることができる領域のほかにもたとえば物置裏の隙間など様々な領域に侵入することができる。ところが特許文献１に開示されたゴキブリ駆除装置は比較的大型であり、上記物置裏の隙間や、部屋の壁と食器棚とのわずかな隙間などの狭い空間に設置することが困難である。また、特許文献１に開示されたゴキブリ駆除装置は、その構成上、床に載置することは可能であるが、壁や天井などのゴキブリが出没しやすい領域に設置することは困難である。
【０００６】
本発明は上記の問題に鑑みなされたものであり、その目的は、ゴキブリが出没しやすい広範囲な領域に設置可能であり、高効率にゴキブリを駆除することが可能なゴキブリ捕獲用ユニットを提供することである。
【課題を解決するための手段】
【０００７】
本発明に係るゴキブリ捕獲用ユニットは、箱体の内部に、ゴキブリ捕獲用の捕獲材を収納可能な捕獲材収納部と、ゴキブリ駆除用の駆除剤を収納可能な駆除剤収納部とを備えている。上記箱体の底面の箱体外部に、上記箱体を壁面に取り付け可能な取付部が配置されている。
【０００８】
上記ゴキブリ捕獲用ユニットにおいて好ましくは、上記箱体はプラスチック製である。
上記ゴキブリ捕獲用ユニットにおいて好ましくは、上記取付部は磁石から構成される。
【０００９】
上記ゴキブリ捕獲用ユニットにおいて好ましくは、上記取付部は上記底面の主表面に沿った方向にシート状に配置される。
【００１０】
上記ゴキブリ捕獲用ユニットにおいて好ましくは、上記捕獲材は粘着性を有するシートである。
【００１１】
上記ゴキブリ捕獲用ユニットにおいて好ましくは、駆除剤収納部には、上記駆除剤を収納するための凹部が形成されている。
【００１２】
上記ゴキブリ捕獲用ユニットにおいて好ましくは、上記箱体の天板は、上記捕獲材収納部を目視するために開閉可能な第１の扉と、上記駆除剤収納部を目視するために開閉可能な第２の扉とを含む。
【００１３】
上記ゴキブリ捕獲用ユニットにおいて好ましくは、上記箱体は、ゴキブリを上記箱体の内部に侵入させる侵入口を含んでいる。上記侵入口は、上記箱体の底面に対して一定の角度の傾斜を有する傾斜面で構成される。
【００１４】
上記ゴキブリ捕獲用ユニットにおいて好ましくは、捕獲材収納部に収納可能な捕獲用部材を含み、上記捕獲用部材に上記捕獲材を有する。
【００１５】
上記ゴキブリ捕獲用ユニットにおいて好ましくは、捕獲用部材はダンボール製である。
上記ゴキブリ捕獲用ユニットにおいて好ましくは、捕獲用部材は箱型の形状である。
【００１６】
上記ゴキブリ捕獲用ユニットにおいて好ましくは、駆除剤はゴキブリが摂取することによりゴキブリを衰弱させる毒餌である。
【発明の効果】
【００１７】
本発明によれば、ゴキブリが出没しやすい広範囲な領域に設置可能であり、高効率にゴキブリを駆除することが可能なゴキブリ捕獲用ユニットを提供することができる。
【図面の簡単な説明】
【００１８】
【図１】本発明の実施の形態１に係るゴキブリ捕獲用ユニットの外観を示す概略図である。
【図２】本発明の実施の形態１に係るゴキブリ捕獲用ユニットの扉を開いた外観の状態を示す概略図である。
【図３】取付部がシート状のマグネットである、本発明の実施の形態１に係るゴキブリ捕獲用ユニットを、箱体の底面が上側になるよう設置した状態を示す概略図である。
【図４】取付部が厚みを有するマグネットである、本発明の実施の形態１に係るゴキブリ捕獲用ユニットを、箱体の底面が上側になるよう設置した状態を示す概略図である。
【図５】本発明の実施の形態１に係るゴキブリ捕獲用ユニットの取付部としての、面ファスナーおよびフックを示す概略図である。
【図６】箱体の底面の内側表面に配置された、粘着性シートを捕獲材とする捕獲材収納部と駆除剤収納部とを示す概略図である。
【図７】箱体の底面の内側表面に配置された、粘着性ペーストを捕獲材とする捕獲材収納部と駆除剤収納部とを示す概略図である。
【図８】正面側面を備える、本発明の実施の形態１に係るゴキブリ捕獲用ユニットの箱体の外観を示す概略図である。
【図９】本発明の実施の形態２に係るゴキブリ捕獲用ユニットの外観を示す概略図である。
【図１０】本発明の実施の形態２に係るゴキブリ捕獲用ユニットの扉を開いた外観の状態を示す概略図である。
【図１１】本発明の実施の形態３に係るゴキブリ捕獲用ユニットを箱体右側面側から見た概略図である。
【図１２】本発明の実施の形態３に係るゴキブリ捕獲用ユニットを箱体左側面側から見た概略図である。
【図１３】本発明の実施の形態４に係るゴキブリ捕獲用ユニットに用いる捕獲用部材を示す概略図である。
【図１４】本発明の実施の形態４に係るゴキブリ捕獲用ユニットの扉を開いた外観の状態を示す概略図である。
【図１５】本発明の実施の形態４に係るゴキブリ捕獲用ユニットに用いる、傾斜面を有する捕獲用部材を示す概略図である。
【図１６】図１５の線分ＸＶＩ−ＸＶＩにおける概略断面図である。
【図１７】本発明の実施の形態５に係るゴキブリ捕獲用ユニットに用いる箱型捕獲用部材を示す概略図である。
【図１８】本発明の実施の形態５に係るゴキブリ捕獲用ユニットに用いる、傾斜面を有する箱型捕獲用部材を示す概略図である。
【図１９】凹部にペースト状駆除剤を配置（塗布）した状態を示す概略図である。
【図２０】凹部に固形駆除剤を配置した状態を示す概略図である。
【図２１】本発明の実施例に係るゴキブリ捕獲用ユニットの外観を示す概略図である。
【図２２】図２１のゴキブリ捕獲用ユニットの天板としての扉形成面を閉じた状態を示す概略図である。
【図２３】図２１のゴキブリ捕獲用ユニットの扉形成面の平面視における概略図である。
【図２４】図２３の線分ＸＸＩＶ−ＸＸＩＶにおける概略断面図である。
【図２５】図２３の線分ＸＸＶ−ＸＸＶにおける概略断面図である。
【図２６】図２１のゴキブリ捕獲用ユニットの展開斜視図である。
【図２７】図２１のゴキブリ捕獲用ユニットの右側の側面の平面視における概略図である。
【図２８】図２１のゴキブリ捕獲用ユニットの左側の側面の平面視における概略図である。
【図２９】図２１のゴキブリ捕獲用ユニットの捕獲材収納部側の侵入口の平面視における概略図である。
【図３０】図２１のゴキブリ捕獲用ユニットの駆除剤収納部側の侵入口の平面視における概略図である。
【図３１】図２１のゴキブリ捕獲用ユニットの箱体外側底面の平面視における概略図である。
【図３２】図２１のゴキブリ捕獲用ユニットのダンボール捕獲用部材を組み立てたものの外観を示す概略図である。
【図３３】図３２のダンボール捕獲用部材の天板の平面視における概略図である。
【図３４】図３２のダンボール捕獲用部材を製造するための打ち抜き成形された平板の平面図である。
【図３５】図３４に示す平板を図３２に示すダンボール捕獲用部材に折り曲げ組み立てる途中の斜視図である。
【発明を実施するための形態】
【００１９】
以下、図面を参照しながら、本発明の各実施の形態について説明する。なお、各実施の形態において、同一の機能を果たす要素には同一の参照符号を付し、その説明は、特に必要がなければ繰り返さない。
【００２０】
（実施の形態１）
以下、図１から図８を参照して、本発明の実施の形態１について説明する。本発明の実施の形態１に係るゴキブリ捕獲用ユニットは、図１に示すように、箱体１０４から構成される。箱体１０４の内部には捕獲材収納部１２１と、駆除剤収納部１２２とを備えている。たとえば図３に示すように、箱体底面１０１の、箱体１０４の外側を向いた表面（箱体外側底面１０１ｂ）上には取付部１５３が配置されている。
【００２１】
箱体１０４は略直方体状の立体形状である。具体的には箱体１０４は、箱体左側面１０９と扉形成面１０２と箱体右側面１０３と箱体底面１０１とから形成される。したがって、図１に示す侵入口１２６および、図１において図示しない侵入口１２６に対向する侵入口は面を形成せず、開口部となっている。このようにしてゴキブリが侵入口１２６から箱体１０４の内部に侵入することを可能としている。
【００２２】
図１、図２に示す箱体１０４は、たとえば１枚の矩形状の平板を図２に示すように折れ線部１１１、１１６、１１７で屈曲された形状となるように形成された、四面を有する矩形状の筒型となっている。しかし上述した箱体左側面１０９、扉形成面１０２、箱体右側面１０３、および箱体底面１０１の４つの矩形状の平板をそれぞれ縁部で接合することにより箱体を形成してもよい。また、箱体左側面１０９および箱体右側面１０３には、それぞれゴキブリを侵入口１０５および侵入口１０６が形成されている。侵入口１０５、１０６も侵入口１２６と同様に、ゴキブリを箱体１０４の内部に侵入させるための開口部である。
【００２３】
箱体１０４は、たとえばダンボールや厚紙などの、厚手で丈夫な紙製で構成されていてもよい。しかしたとえばプラスチックなどで構成することにより、ゴキブリを１回捕獲するごとに廃棄するのではなく、半永久使用することが可能な構成とすることが好ましい。
また、当該箱体１０４をプラスチックなどの防水、防湿性の材料で構成すれば、箱体１０４の設置箇所に散水しても箱体１０４がダメージを受けることはない。
【００２４】
図２に示すように箱体１０４は、開閉用窪み１３１を用いて天板部分の扉形成面１０２を開くことにより箱体１０４の内部の状況を確認することができる。しかしたとえば扉形成面１０２が図２のように箱体１０４を開くことが可能な構造になっておらず、たとえば扉形成面１０２に相当する領域に配置される面が箱体右側面１０３と固定された構成であってもよい。この場合、たとえば侵入口１０５、１０６、１２６を用いて箱体１０４の内部の状況を確認したり、箱体１０４の内部に駆除剤を投入することが好ましい。
【００２５】
箱体１０４の内部に存在する捕獲材収納部１２１とは、ゴキブリを箱体１０４の内部に捕獲するための捕獲材を収納可能な領域である。すなわち後述するように、上記捕獲材は捕獲材収納部１２１に侵入したゴキブリの身体を捕獲材収納部１２１に拘束し、捕獲材収納部１２１から逃げることができなくする部材である。捕獲材収納部１２１とはこのような捕獲材を収納可能とした領域である。
【００２６】
また駆除剤収納部１２２とは、ゴキブリ駆除用の駆除剤を収納可能な領域である。すなわち後述するように、たとえばゴキブリが摂取することによりゴキブリを衰弱させたり衰弱死させることが可能な毒餌を設置するための領域である。
【００２７】
取付部１５３は箱体１０４を室内の壁面や天井面など、水平な床面以外の面上に固定するために、自由に脱着することを可能とする素材から構成される。たとえば図３に示すように、取付部１５３として磁石を使用することが好ましい。このようにすれば、磁性を有する壁面や天井面などの面上に箱体１０４を容易に固定し、かつ容易に脱着することができる。
【００２８】
取付部１５３に用いる磁石は図３に示すように箱体底面１０１の主表面に沿った方向にシート状の形状のマグネットを配置したものでもよい。なお、ここで主表面とは、表面のうちもっとも面積の大きい主要な面のことをいう。ここで特に取付部１５３としてのシート状のマグネットの表面が、箱体底面１０１の主表面とほぼ同一平面上に配置されるようにする（取付部１５３の表面が箱体底面１０１の主表面に対して上側に浮かぶ厚みを小さくする）。このようにすれば、たとえば箱体１０４を壁面に固定する際に、壁面と箱体底面１０１との距離を小さくすることができる。このため、箱体１０４をより安定に、壁面などの面上に固定することができる。
【００２９】
ただし取付部１５３に用いる磁石としてたとえば図４に示す、主表面方向に交差する方向に厚みを有する固形型のマグネットを用いてもよい。あるいはたとえば図示しない脱着可能な粘着性のマグネットを用いてもよい。
【００３０】
あるいは図５に示すように、取付部１５３として面ファスナーを用いてもよい。この場合、たとえば箱体１０４を取り付ける壁面上にも同様の面ファスナーを設置しておけば、面ファスナー同士の接着により箱体１０４を当該壁面上に固定することができる。また、接着した面ファスナー同士は自由に脱着することが可能なため、箱体１０４を壁面から容易に脱着することもできる。
【００３１】
さらに、たとえば取付部１５３として壁掛けフックを用いることもできる。壁掛けフックを用いた場合についても、たとえば所望の壁面上に壁掛けフックを用いて箱体１０４を吊り下げるための釘やループ状の取付部などを設置すれば、箱体１０４を脱着可能に容易に壁面上に取り付けることができる。さらに取付部１５３として、たとえば着脱可能な接着剤を用いてもよい。
【００３２】
なお、以上に示す取付部１５３は、図３〜図５に示すように箱体底面１０１に配置されていてもよいが、たとえば箱体右側面１０３、箱体左側面１０９など、箱体底面１０１以外の面上に配置されていてもよい。
【００３３】
次に先述した捕獲材収納部１２１および駆除剤収納部１２２について説明する。捕獲材収納部１２１および駆除剤収納部１２２は箱体１０４の内部に配置された、ゴキブリを駆除する役割を有する領域である。捕獲材収納部１２１はゴキブリを箱体１０４の内部に拘束させることにより捕獲する領域である。これに対し、駆除剤収納部１２２はたとえばゴキブリを駆除するための駆除剤を摂取させることにより、箱体１０４の外部に存在するゴキブリを駆除する領域である。すなわち捕獲材収納部１２１と駆除剤収納部１２２とは、いずれも存在するゴキブリを駆除する役割を有するが、当該ゴキブリを駆除する手段が異なる。
【００３４】
図６に示すように箱体底面１０１の、箱体１０４の内部側の主表面（箱体内側底面１０１ａ）上には、捕獲材収納部１２１に相当する領域に粘着性シート３０が配置されている。粘着性シート３０は、箱体１０４の内部に侵入したゴキブリを箱体１０４の内部から移動することを不可能とする捕獲材として配置されるものである。また、箱体１０４の内部側の主表面上のうち、駆除剤収納部１２２に相当する領域には、駆除剤を収納するための凹部１５１が形成されている。後述するように、凹部１５１にゴキブリを駆除するための駆除剤を配置する。なお、粘着性シート３０はゴキブリを捕獲する面（箱体内側底面１０１ａ上に配置した際に箱体内側底面１０１ａと対向する面と反対側の面）については粘着性を高くし、ゴキブリをより確実に捕獲可能な構成とすることが好ましい。しかし粘着性シート３０のゴキブリを捕獲する面と反対側の面（箱体内側底面１０１ａ上に配置した際に箱体内側底面１０１ａと対向する面）については箱体内側底面１０１ａとの接着性を低くし、容易に取り外し交換が可能な構成とすることが好ましい。
【００３５】
捕獲材としての粘着性シート３０としては、たとえば粘着性を有するセロファンなどで形成されるものを用いることが好ましい。あるいは図７に示すように、箱体内側底面１０１ａ上の、捕獲材収納部１２１に相当する領域に、捕獲材として粘着性シート３０の代わりに粘着性を有するペースト３１を塗布したものを用いてもよい。また図６、図７に示すように、箱体内側底面１０１ａ上の捕獲材収納部１２１と駆除剤収納部１２２との境界部分には段差１２３を設置することが好ましい。しかし状況に応じて、段差１２３は設置を省略してもよい。
【００３６】
また、捕獲材収納部１２１により高い確率でゴキブリを誘引するために、捕獲材収納部１２１のたとえば粘着性シート３０やペースト３１の上に、ゴキブリの好物を誘引剤として配置してもよい。
【００３７】
以上に述べた、本発明の実施の形態１に係るゴキブリ捕獲用ユニットの箱体１０４は、捕獲材収納部１２１と駆除剤収納部１２２とを備えている。このため、たとえば捕獲材収納部１２１と駆除剤収納部１２２とのいずれか一方のみを備えるゴキブリ捕獲用ユニットに比べて、高い確率でゴキブリを捕獲することができる。
【００３８】
より具体的には、たとえば駆除剤収納部１２２のみを備えるゴキブリ捕獲用ユニットを用いた場合、当該ゴキブリ捕獲用ユニットの内部にゴキブリが侵入しても、ゴキブリが駆除剤を摂取しない可能性がある。この場合、ゴキブリ捕獲用ユニットの内部にゴキブリが侵入しても、当該ゴキブリを駆除することはできない。
【００３９】
それに対して、上記箱体１０４を用いた場合、箱体１０４の内部にゴキブリが侵入し、駆除剤収納部１２２に収納されている駆除剤（たとえば毒餌）を摂取しなかったとしても、捕獲材収納部１２１に侵入して捕獲材に捕捉されれば、そこから移動することが不可能になり当該ゴキブリを捕獲することができる。あるいは逆に、難を逃れて捕獲材に捕捉されなかったとしても、上記駆除剤の摂取により当該ゴキブリを衰弱（衰弱死）させ、当該ゴキブリを駆除することができる。したがって、捕獲材収納部１２１と駆除剤収納部１２２との相乗効果により、ゴキブリの捕獲確率を高め、高効率にゴキブリを捕獲することができる。
【００４０】
また、たとえばゴキブリが駆除剤を摂取した形跡があるにもかかわらず捕獲材収納部１２１にゴキブリの捕獲された死骸が確認できない場合、当該箱体１０４を設置した室内にゴキブリが棲息していると判断するための指標として用いることもできる。逆に多数のゴキブリが捕獲材収納部１２１に捕獲されているが駆除剤を摂取した形跡がない場合、よりゴキブリが摂取する可能性の高い駆除剤への内容変更を検討することも可能となる。また、異なる場所に複数台箱体１０４を設置しておけば、捕獲材収納部１２１のゴキブリの捕獲数を比較することにより、次回箱体１０４を設置すべき場所を判断することもできる。
【００４１】
また、上記設置すべき場所について、当該箱体１０４は、たとえば室内の床面上のみならず、取付部１５３の存在により、壁面上や天井面などに設置することも可能である。したがって、たとえば厨房に設置された食器棚の裏の狭い隙間に巣を作っているゴキブリを捕獲するために当該食器棚の狭い領域に箱体１０４を設置することができる。たとえば食器棚の裏面と壁面との隙間が狭い場合、箱体１０４の箱体底面１０１や扉形成面１０２の幅が広いため、箱体１０４の当該隙間の領域に水平に設置することができない。しかし箱体１０４の取付部１５３を用いれば、脱着可能に壁面に固定するように箱体１０４を設置することができる。したがって、箱体１０４を設置することが可能な領域の幅を広げることができる。
【００４２】
箱体１０４を取付部１５３を用いて設置すれば、箱体１０４を壁面や天井面、あるいは床面に対して固定することができる。このため、箱体１０４の設置場所の管理を容易にすることができる。すなわち、たとえば箱体１０４を設置した場所が不明になったり、本来ゴキブリを駆除したい場所に設置していた箱体１０４が、長時間設置中にたとえば人が移動させてしまうなどにより本来の場所と異なる場所に配置されるなどの不具合を解消することができる。
【００４３】
上記のようにたとえば箱体１０４を壁面に固定するように配置しても、凹部１５１が形成されているため、当該凹部１５１の内部に収納される、たとえばペースト状を有する駆除剤が凹部１５１から漏出する可能性が低減される。駆除剤の凹部１５１に対する粘性が高い場合、この効果はより顕著になる。
【００４４】
また、箱体１０４の内部に駆除剤を配置することができるため、たとえばゴキブリを駆除したい食器棚の裏の隙間の壁面上に直接駆除剤を塗布する必要がなく、当該箱体１０４の凹部１５１に塗布された駆除剤が、壁面上に直接配置した駆除剤と同様の効果を奏する。このため外観上の見栄えを向上することができる。
【００４５】
以上に述べた箱体１０４は、箱体左側面１０９と扉形成面１０２と箱体右側面１０３と箱体底面１０１との四面から構成されるものである。しかし図８に示すように、箱体１０４の矩形筒状を形成する各面、たとえば扉形成面１０２の長手方向の両端部を覆うように正面側面１２４および図８において図示しない、正面側面１２４に対向する背面側面を備えていてもよい。すなわち図８に示す箱体１０４は六面から構成される六面体構造である。以上の点においてのみ、図８に示す箱体１０４は図１に示す箱体１０４と異なる。
【００４６】
本発明の実施の形態１に係るゴキブリ捕獲用ユニットは、図１や図８の箱体１０４のような矩形状の面を有する略直方体状であってもよい。しかし当該ゴキブリ捕獲用ユニットの形状はこれに限定されず、たとえば三角柱状や六角柱状、円筒状などからなる構成であってもよい。
【００４７】
図８に示す箱体１０４のように、正面側面１２４および背面側面を備える場合は、正面側面１２４および背面側面に、たとえば箱体右側面１０３の侵入口１０６と同様の侵入口１２６を形成することが好ましい。このようにすれば、図１に示す箱体１０４の開口部分である侵入口１２６と同様に、ゴキブリを箱体１０４の内部に誘引する侵入口１２６としての役割を有することができる。また、侵入口１２６を通じて箱体１０４の内部の状況を容易に確認することができる。たとえ侵入口１２６を通じて箱体１０４の内部の状況を確認することが困難であっても、扉形成面１０２を開けることができるため、問題なく箱体１０４の内部の状況を確認することができる。
【００４８】
（実施の形態２）
以下、図９から図１０を参照して、本発明の実施の形態２について説明する。本発明の実施の形態２に係るゴキブリ捕獲用ユニットは、図９に示すように、箱体１０４から構成される。図９に示す箱体１０４は、実施の形態１の図１に示す箱体１０４と基本的に同様の態様を備えている。しかし図９に示す箱体１０４は、扉形成面が捕獲材収納部１２１を目視するために開閉可能な第１の扉である捕獲材収納部扉形成面１０２ａと、駆除剤収納部１２２を目視するために開閉可能な第２の扉である駆除剤収納部扉形成面１０２ｂとに分かれている。図１０においては捕獲材収納部扉形成面１０２ａと駆除剤収納部扉形成面１０２ｂとの両方を開いた状態を示している。しかし両者は独立して開閉することが可能である。なお、捕獲材収納部扉形成面１０２ａは開閉用窪み１３１ａ、駆除剤収納部扉形成面１０２ｂは開閉用窪み１３１ｂを用いて開閉を行なう。
【００４９】
このようにすれば、たとえば捕獲材収納部１２１の状況を確認する際には捕獲材収納部扉形成面１０２ａのみを開け、駆除剤収納部１２２の状況を確認する際には駆除剤収納部扉形成面１０２ｂのみを開けることができる。たとえば捕獲材収納部１２１の捕獲材に用いる粘着性シート３０（図６参照）を交換する場合に、捕獲材収納部扉形成面１０２ａのみを開け、駆除剤収納部扉形成面１０２ｂを閉じたまま作業を行なうことができる。したがって、たとえば駆除剤として人体に有害な物質を使用する場合において、駆除剤収納部扉形成面１０２ｂを閉じたまま作業を行なうことができるため、駆除剤が放出する有害物質の吸引を最小限に留めることができる。
【００５０】
また、たとえば駆除剤を交換する際には、駆除剤収納部扉形成面１０２ｂのみを開け、捕獲材収納部扉形成面１０２ａを閉じたまま作業を行なうことができる。したがって、たとえば当該扉を含む箱体１０４がプラスチックなどの不透明な材質から形成される場合、駆除剤を交換する作業を行なう際に、不必要に捕獲材収納部１２１を確認する必要がない。たとえば不必要に捕獲されたゴキブリの死骸を視界に入れずに作業を行なうことができるため、快適に作業を行なうことができる。
【００５１】
本発明の実施の形態２は、以上に述べた各点についてのみ、本発明の実施の形態１と異なる。すなわち、本発明の実施の形態２について、上述しなかった構成や条件、手順や効果などは、全て本発明の実施の形態１に順ずる。
【００５２】
（実施の形態３）
以下、図１１から図１２を参照して、本発明の実施の形態３について説明する。本発明の実施の形態３に係るゴキブリ捕獲用ユニットは、図１１に示すように、箱体１０４から構成される。図１１に示す箱体１０４は、実施の形態１の図１に示す箱体１０４と基本的に同様の態様を備えている。しかし当該箱体１０４は、たとえば図１１に示すように、たとえば侵入口１０６の箱体底面１０１側の、すなわちゴキブリが侵入する面は、箱体底面１０１に対して一定の角度を有する傾斜面１１３で構成される。同様に、侵入口１０５は傾斜面１１３で、侵入口１２６は傾斜面１２７、１２８で構成される。以上の点においてのみ、図１１、１２に示す箱体１０４は図１に示す箱体１０４と異なる。
【００５３】
ゴキブリは箱体１０４の内部に入る入口において、箱体底面１０１に対して所定の角度の傾斜を有する方が、好んで箱体１０４の内部に入る習性を備えている。したがって、実施の形態３の箱体１０４のようにゴキブリの箱体１０４の内部への入口に上記傾斜面を設けることにより、より高い確率でゴキブリを箱体１０４の内部へ誘引することができる。なお、傾斜面１１３、１２７、１２８の、箱体底面１０１に対する角度は、たとえば３０°以上６０°以下であることが好ましく、４０°以上５０°以下であることがより好ましい。
【００５４】
なお、上述した本発明の実施の形態２に係る箱体１０４において、本発明の実施の形態３に係る箱体１０４と同様の傾斜面１１３、１２７、１２８を設けてもよい。
【００５５】
本発明の実施の形態３は、以上に述べた各点についてのみ、本発明の実施の形態１と異なる。すなわち、本発明の実施の形態３について、上述しなかった構成や条件、手順や効果などは、全て本発明の実施の形態１に順ずる。
【００５６】
（実施の形態４）
以下、図１３から図１６を参照して、本発明の実施の形態４について説明する。本発明の実施の形態４に係るゴキブリ捕獲用ユニットは、図１３に示す捕獲用部材４０を含んでいる。捕獲用部材４０は、箱体１０４の捕獲材収納部１２１に収納可能な大きさや形状を有している。たとえば図１３の捕獲用部材４０は、図１４に示すように捕獲材収納部１２１の箱体内側底面１０１ａ上に容易に載置することが可能な平板形状を有している。
【００５７】
図１３に示すように捕獲用部材４０には、一方の主表面上に捕獲材としての粘着性シート３０が貼り付けてある。したがって、これを図１４に示すように箱体１０４の捕獲材収納部１２１に収納すれば、捕獲材収納部１２１の捕獲用部材４０が、箱体１０４の内部に侵入したゴキブリの身体を粘着性シート３０により捕獲材収納部１２１に拘束する。このようにしてゴキブリを捕獲材収納部１２１から逃げられないようにする。なお、捕獲用部材４０には粘着性シート３０の代わりに、粘着性を有するペースト３１（図７参照）を塗布したものを捕獲材として用いてもよい。以上の点においてのみ、図１４に示す箱体１０４は先に示した箱体１０４と異なる。
【００５８】
上述した実施の形態１から３のゴキブリ捕獲用ユニットは、捕獲材として用いられる粘着性シート３０やペースト３１が、箱体１０４の箱体内側底面１０１ａ上に配置（塗布）される構成である。これに対して実施の形態４のゴキブリ捕獲用ユニットは、粘着性シート３０やペースト３１が、箱体１０４と別体である捕獲用部材４０に配置（塗布）されている。そして箱体１０４と捕獲用部材４０とを合わせて１組のゴキブリ捕獲用ユニットを構成する。
【００５９】
このようにすれば、捕獲用部材４０にゴキブリが捕獲されれば、捕獲用部材４０のみを新品に交換することにより、箱体１０４を一箇所に設置したまま半永久使用することができる。特に箱体１０４をたとえばプラスチックなどの防水性、防湿性の材料で形成すれば、当該箱体１０４が散水を受けても吸水によるダメージを受けることがないため、半永久使用することが可能となる。箱体１０４を取付部１５３（図３〜図５参照）により壁面や天井面、床面などに固定すれば、一定の位置に半永久的に取り付けた状態で長期間使用が可能となる。したがって、捕獲材収納部１２１にゴキブリが捕獲された際の処理が容易になる。
【００６０】
なお、捕獲用部材４０はゴキブリを捕獲するごとに廃棄、交換する使い捨て仕様である。このため捕獲用部材４０はたとえばダンボールや厚紙などの厚手で丈夫な紙製で構成されていることが好ましい。なかでもゴキブリはダンボールを好むため、ダンボールで形成された捕獲用部材４０を用いることが特に好ましい。このようにすれば捕獲用部材４０にゴキブリに対する誘引性を持たせることができる。
【００６１】
また、たとえば図１５に示す捕獲用部材４１のように、捕獲用部材は１組の傾斜面４２、４３を有する構成であることが好ましい。捕獲用部材４１は粘着性シート３０を配置する主表面、傾斜面４２、４３ともに、上述した捕獲用部材４０と同様にダンボールで形成することが特に好ましい。また傾斜面４２、４３はその高さが、箱体１０４の内部に捕獲用部材４１を収納することが可能な高さであることが好ましい。すなわち傾斜面４２、４３の高さは箱体１０４の内部の厚みよりも低いことが好ましい。傾斜面４２、４３は捕獲用部材４１の本体（粘着性シート３０を配置する部材）と一体とし、所望箇所で折り曲げた構成としてもよい。あるいは傾斜面４２、４３を捕獲用部材４１の本体と別体として形成し、これらを捕獲用部材４１の本体と、図１５に示す態様をなすように接着した構成としてもよい。
【００６２】
上述したようにゴキブリは傾斜面を好むため、上述した箱体１０４と同様に、捕獲用部材にも傾斜面を備える方が、ゴキブリを容易に当該傾斜面の方向へ誘引することができる。したがって、図１５に示す捕獲用部材４１のようにゴキブリの粘着性シート３０の方向へ侵入させる入口に上記傾斜面を設けることにより、より高い確率でゴキブリを粘着性シート３０の方向へ誘引することができる。
【００６３】
なお、傾斜面４２または傾斜面４３を登り始めたゴキブリを捕獲用部材４１の粘着性シート３０（ペースト３１）上に容易に導くため、傾斜面４２、４３にはそれぞれ切り欠き部４４、４５を有する構成とすることが好ましい。このようにすれば、傾斜面４２、４３の途中まで上り詰めたゴキブリを容易に粘着性シート３０（ペースト３１）上に墜落させることができる。
【００６４】
なお、断面図である図１６に示す、傾斜面４２、４３の粘着性シート３０が配置された面に対する角度αは、たとえば３０°以上６０°以下であることが好ましく、４０°以上５０°以下であることがより好ましい。
【００６５】
また、図１４においては、実施の形態２（図９、図１０）と同様に天板が捕獲材収納部扉形成面１０２ａと駆除剤収納部扉形成面１０２ｂとを備えた構成を示している。しかしたとえば実施の形態１（図１、図２）と同様に天板が単一の扉形成面１０２からなる構成であってもよい。
【００６６】
本発明の実施の形態４は、以上に述べた各点についてのみ、本発明の実施の形態１と異なる。すなわち、本発明の実施の形態４について、上述しなかった構成や条件、手順や効果などは、全て本発明の実施の形態１に順ずる。
【００６７】
（実施の形態５）
以下、図１７から図２０を参照して、本発明の実施の形態５について説明する。本発明の実施の形態５に係るゴキブリ捕獲用ユニットは、図１７に示す箱型捕獲用部材５４を含んでいる。箱型捕獲用部材５４は、上述した捕獲用部材４０、４１と同様に箱体１０４の内部の捕獲材収納部１２１に収納可能な、捕獲材としての粘着性シート３０を有する捕獲用部材である。捕獲用部材は、たとえば上述した捕獲用部材４０、４１のように平板形状であってもよいが、箱型捕獲用部材５４のように箱型であってもよい。このようにすれば、たとえば捕獲材である粘着性シート３０に捕獲されたゴキブリの死骸を見ずに箱型捕獲用部材５４を交換することが可能である。したがって、より快適に捕獲用部材の交換を行なうことができる。
【００６８】
箱型捕獲用部材５４はたとえば図１に示す箱体１０４と同様に箱型捕獲用部材底面５１、箱型捕獲用部材天板面５２、箱型捕獲用部材右側面５３、箱型捕獲用部材左側面５９の四面を有する矩形状の筒型（箱型）の形状となっている。したがって、図１７に示す捕獲用部材侵入口７６および、図１７において図示しない捕獲用部材侵入口７６に対向する侵入口は面を形成せず、開口部となっている。このようにしてゴキブリが捕獲用部材侵入口７６から箱型捕獲用部材５４の内部に侵入することを可能としている。しかし当該捕獲用部材侵入口７６が存在する領域においても面を形成した六面体構造であってもよい。この場合当該面には、ゴキブリが箱型捕獲用部材５４の内部に侵入することを可能とするための侵入口を設けることが好ましい。
【００６９】
図１７に示すように箱型捕獲用部材底面５１の、箱型捕獲用部材５４の内部側の主表面（捕獲用部材内側底面５１ａ）上に捕獲材としての粘着性シート３０が配置されている。上述した各実施の形態と同様に、捕獲材として粘着性シート３０の代わりにペースト３１を用いてもよい。また、侵入口１０５、１０６から箱体１０４の内部に侵入するゴキブリを箱型捕獲用部材５４の内部に誘引するために、図１７に示す側面侵入口５５、５６を有することが好ましい。側面侵入口５５、５６はそれぞれ、箱型捕獲用部材５４を箱体１０４の捕獲材収納部１２１に収納した際に箱体１０４の侵入口１０５、１０６に対向する位置に設けることが好ましい。具体的には、側面侵入口５５は箱型捕獲用部材５４の箱型捕獲用部材左側面５９の、上記収納時に侵入口１０５と対向する位置に設けることが好ましい。同様に側面侵入口５６は箱型捕獲用部材５４の箱型捕獲用部材右側面５３の、上記収納時に侵入口１０６と対向する位置に設けることが好ましい。
【００７０】
また、図１８に示すように、箱型捕獲用部材５４の側面侵入口５５、５６には、上述した捕獲用部材４１と同様の傾斜面４２、４３を設けてもよい。傾斜面４２、４３は箱型捕獲用部材５４の本体（粘着性シート３０を配置する部材）と一体とし、たとえば側面侵入口５５、５６を形成するために刳り貫いた領域を所望角度に折り曲げることにより形成してもよい。あるいは傾斜面４２、４３を箱型捕獲用部材５４の本体と別体として形成し、これらを箱型捕獲用部材５４の本体と、図１５に示す態様をなすように接着した構成としてもよい。
【００７１】
図１８において図示しないが、さらに捕獲用部材侵入口７６、すなわち箱型捕獲用部材底面５１の、捕獲用部材侵入口７６が存在する端部にも、同様の傾斜面を設けてもよい。
【００７２】
本発明の実施の形態５は、以上に述べた各点についてのみ、本発明の実施の形態４と異なる。すなわち、本発明の実施の形態５について、上述しなかった構成や条件、手順や効果などは、全て本発明の実施の形態４に順ずる。
【００７３】
以上に述べた本発明の各実施の形態において、駆除剤収納部１２２の箱体底面１０１、特に凹部１５１に配置する駆除剤としては、たとえばゴキブリが摂取することにより当該ゴキブリを衰弱（衰弱死）させる毒餌を用いることが好ましい。すなわちゴキブリを誘引させるゴキブリの好物でありながらゴキブリを死滅させることが可能な毒餌を当該駆除剤として用いることが好ましい。駆除剤としては、たとえば図１９に示すように、チューブに充填されたペースト状駆除剤４６を用いてもよい。あるいはたとえば図２０に示すように固形状を有するたとえば硼酸団子などの固形駆除剤４７を用いてもよい。なお、ペースト状駆除剤４６、固形駆除剤４７のいずれにおいても、特に箱体１０４を壁面や天井面に固定する場合には、粘性の高い材質からなることが好ましい。
【００７４】
箱体１０４の内部に侵入したゴキブリが駆除剤収納部１２２に侵入すれば、これらの駆除剤に誘引され、当該駆除剤を摂取する。駆除剤を摂取した時点では当該ゴキブリは衰弱せず、箱体１０４の外部に容易に移動する。しかしここで駆除剤を摂取したゴキブリが巣に帰って糞を排泄すれば、糞に含まれるフェロモンの作用により、巣に存在する他のゴキブリがその糞を摂取する。やがて最初に駆除剤を摂取したゴキブリは駆除剤の毒成分の作用により衰弱し、消化機能を損ない死滅する。また上記糞を摂取したゴキブリも、駆除剤を摂取したゴキブリと同様に衰弱して死に至る。
【００７５】
なお、駆除剤収納部１２２の凹部１５１に配置する駆除剤として、上述したゴキブリを摂取死滅させる毒餌の代わりに、ゴキブリを箱体１０４から離れたところ、より好ましくは室外に移動させる作用を有する忌避材を用いてもよい。
【実施例】
【００７６】
以下、図２１から図３５を参照して、本発明の実施例について説明する。以上に述べた本発明の実施の形態に係る、図２１に示すゴキブリ駆除用ユニット２００を作成した。ゴキブリ駆除用ユニット２００は、図２１に示すように箱体１０４を有する。箱体１０４の内部にはゴキブリ捕獲用の捕獲材を収納可能な捕獲材収納部１２１と、ゴキブリ駆除用の駆除剤を収納可能な駆除剤収納部１２２とを備えている。また図３１に示すように、マグネット製の取付部１５３を備えている。捕獲材収納部１２１には、ダンボール捕獲用部材４が収納される。ダンボール捕獲用部材４は、箱体１０４の内部の捕獲材収納部１２１に収納可能なダンボール製の扁平箱体である。
【００７７】
箱体１０４は本実施例においては１０６ｍｍ×７６ｍｍ×１８ｍｍの略直方体状である。箱体１０４は図２１に示すように侵入口１２６および、図２１において図示しない侵入口１２６に対向する侵入口は面を形成せず、開口部となっている。すなわち侵入口１２６となっている面を除く四面から構成されている。具体的には、図２１から図２６に示すように、天板が捕獲材収納部扉形成面１０２ａと駆除剤収納部扉形成面１０２ｂとから構成されている。また、箱体１０４の左側の側面は箱体左側面１０９ａと箱体左側面１０９ｂとから構成されている。箱体１０４の右側の側面は箱体右側面１０３ａと箱体右側面１０３ｂとから構成されている。このように各側面が２つの領域に分かれているのは、箱体１０４の左側の側面には侵入口１０５を、右側の側面には侵入口１０６を含むためである。そして箱体１０４の底面は箱体底面１０１から形成されている。
【００７８】
箱体１０４の捕獲材収納部１２１側の侵入口１２６には傾斜面１２７が、駆除剤収納部１２２側の侵入口１２６には傾斜面１２８がそれぞれ備えられている。これによりゴキブリが容易に箱体１０４の内部に侵入する構造としている。また同様に、侵入口１０５、侵入口１０６には傾斜面１１３が備えられている。
【００７９】
またたとえば図２４の断面図や図２６の展開斜視図に示すように、箱体１０４の内部の箱体内側底面１０１ａ上の捕獲材収納部１２１と駆除剤収納部１２２との境界部には、段差１２３を設けている。同様に箱体内側底面１０１ａ上の駆除剤収納部１２２には、駆除剤を収納するための凹部１５１が形成されている。さらにたとえば図２４や図２５の断面図に示すように、箱体底面１０１の箱体外側底面１０１ｂにはマグネット製の取付部１５３（図３１参照）を収納するための取付部用窪み１５３ａが形成されている。
【００８０】
上述したように箱体１０４は略直方体状でありながら、侵入口１２６を有する方向には面を形成しない。したがって図２６の展開斜視図に示すように、たとえばプラスチック製の平板に、略直方体状の形状を形成するための折れ線部１１１および折れ線部１１６を形成する。このようにして、たとえば図２６において箱体底面１０１と略同一平面上に伸びる箱体左側面１０９ａおよび箱体左側面１０９ｂを、折れ線部１１１において屈曲させれば、箱体左側面１０９ａ、１０９ｂを箱体底面１０１に略垂直とすることができる。同様に折れ線部１１６において屈曲させれば、捕獲材収納部扉形成面１０２ａおよび駆除剤収納部扉形成面１０２ｂを、箱体左側面１０９ａ、１０９ｂに略垂直に（すなわち箱体底面１０１と対向するように）することができる。
【００８１】
この状態で図２６の凸フック１１０ｃと凹フック１１１ｃ、凸フック１１０ｄと凹フック１１１ｄ、凸フック１１０ｅと凹フック１１１ｅ、凸フック１１０ｆと凹フック１１１ｆを、図２７に示すようにそれぞれ互いに嵌合させる。このようにすれば図２１から図２２に示すように箱型形状（略直方体状）の箱体１０４とすることができる。
【００８２】
図２７は箱体１０４の右側の側面を見た概略図であり、図２８は箱体の左側の側面を見た概略図である。図２９は箱体１０４の捕獲材収納部１２１側の侵入口１２６を見た概略図であり、図３０は箱体１０４の駆除剤収納部１２２側の侵入口１２６を見た概略図である。
【００８３】
そして図３１の箱体１０４の箱体外側底面１０１ｂが示すように、取付部１５３としてのシート状のマグネットが配置される。また、上述したように駆除剤収納部１２２は段差１２３により捕獲材収納部１２１と区画されるが、駆除剤収納部１２２の凹部１５１が配列される領域を囲むように凹部用区画１５２が形成されている。
【００８４】
以上に述べた箱体１０４は駆除剤収納部１２２に駆除剤を配置（塗布）する領域を備える、ゴキブリを駆除するための部材である。そして箱体１０４の捕獲材収納部１２１に収納可能なダンボール捕獲用部材４が捕獲材を収納する、ゴキブリを捕獲するための部材である。ダンボール捕獲用部材４は図３２および図３３に示すように、矩形状の底板１と、当該底板１に略平行な天板２と、底板１の左右両端縁より立ち上がり天板２に連なる左右の側板３とを有する扁平箱体に形成されている。当該ダンボール捕獲用部材４の側板３に第一侵入口５と第二侵入口６とが形成されている。また、ダンボール捕獲用部材４を箱体１０４の内部に収納した際に捕獲材収納部１２１の端部側に配置される領域（図３２における右側）には第三侵入口２６が形成されている。
【００８５】
ダンボール捕獲用部材４は本実施例においては７５ｍｍ×７０ｍｍ×１３ｍｍの箱体である。これは図３４に示すダンボール製の平板７を折り曲げて、天板２の縁部の一領域であるヌスミ部２３およびヌスミ部２５を用いて噛み合わせることにより組み立てたものである。図３４に示すダンボール製の平板７を、ダンボール折れ線部１１およびダンボール折れ線部１２において屈曲させて側板３を形成させる。そして天板２のヌスミ部２３、２５を互いに噛み合わせれば、たとえば図３２に示す略直方体状のダンボール捕獲用部材４とすることができる。すなわち側板３は、ダンボール折れ線部１１を介して底板１と接しており、ダンボール折れ線部１２を介して天板２と接している。
【００８６】
本実施例において図３４に示すＬの長さが７０ｍｍ、Ｈの長さが１３ｍｍとなるように、打ち抜き成形されたダンボール製の平板７を加工する。ここでダンボール折れ線部１１の延長線上に存在するミシン目状スリット１４についても、折り曲げ可能となるよう形成する。このようにすれば、左右侵入部１３を底板１に対する傾斜面とすることができる。左右侵入部１３の上縁部（上面部側）に、ゴキブリを容易に侵入させるための切欠き凹部１７が形成されている。
【００８７】
左右侵入部１３を形成するため、左右侵入部１３と側板３との境界は直線状スリット１５を介して分離されている。また、左右侵入部１３と天板２との境界は直線状スリット１６を介して分離されている。
【００８８】
図３４に示すように側板３は、底板１の左右長辺の前側に形成された左右前側面部３ａと、中央部に形成された左右中央側面部３ｂと、後側に形成された左右後側面部３ｃとを含む。底板１の、ダンボール捕獲用部材４を組み立てた際に内側となる面上に、ゴキブリ捕獲用の捕獲材としての粘着性シート３０が貼り付けられている。
【００８９】
同様に、図３４に示すように前後侵入部１８を底板１に対する傾斜面とするため、折り目線１９において折り曲げ可能となるよう形成する。さらに折り曲げをスムーズにするため、スリット２０が形成されている。また前後侵入部１８の上縁部（反底面部側）に、ゴキブリを容易に侵入させるための切欠き凹部２１が形成されている。
【００９０】
図３４に示すように天板２は、左上面部２ａと右上面部２ｂとを含む。左上面部２ａの外縁の前後方向中央部は、凸部２２に形成され、当該凸部２２の前後方向両側にヌスミ部２３が形成されている。このヌスミ部２３と側板３との距離をＬ１とする。
【００９１】
右上面部２ｂの外縁の前後方向中央部は凹部２４に形成され、当該凹部２４の前後方向両側にヌスミ部２５が形成されている。このヌスミ部２５と側板３のダンボール折れ線部１２までの距離をＬ２とする。
【００９２】
このとき、上述した距離Ｌ、Ｌ１およびＬ２の間に、Ｌ＝Ｌ１＋Ｌ２の関係が成立する。このようにすれば、図３５に示すように天板２の左上面部２ａのヌスミ部２３と、右上面部２ｂのヌスミ部２５とを噛み合わせることにより、ダンボール捕獲用部材４の略直方体状に組み立てることができる。
【００９３】
なお、図３２に示すダンボール捕獲用部材４は、図３４の平板７をミシン目３５およびミシン目３５の延長線上に存在する切裂き線３６において二分させたものを折り曲げ組立てたものである。しかしミシン目３５や切裂き線３６において二分せず、たとえば図３４の平板７をそのまま組み立てたものを販売形態としてもよい。
【００９４】
今回開示された各実施の形態および実施例はすべての点で例示であって制限的なものではないと考えられるべきである。本発明の範囲は上述した説明ではなくて特許請求の範囲によって示され、特許請求の範囲と均等の意味および範囲内でのすべての変更が含まれることが意図される。
【産業上の利用可能性】
【００９５】
本発明は、ゴキブリが出没しやすい広範囲な領域に設置可能であり、高効率にゴキブリを駆除することが可能なゴキブリ捕獲用ユニットを提供する技術として、特に優れている。
【符号の説明】
【００９６】
１  底板、２  天板、２ａ  左上面部、２ｂ  右上面部、３  側板、３ａ  左右前側面部、３ｂ  左右中央側面部、３ｃ  左右後側面部、４  ダンボール捕獲用部材、５  第一侵入口、６  第二侵入口、７  平板、１１，１２  ダンボール折れ線部、１３  左右侵入部、１４  ミシン目状スリット、１５，１６  直線状スリット、１７，２１  切欠き凹部、１８  前後侵入部、１９  折り目線、２０  スリット、２２  凸部、２３，２５  ヌスミ部、２４  凹部、２６  第三侵入口、３０  粘着性シート、３１  ペースト、３５  ミシン目、３６  切裂き線、４０，４１  捕獲用部材、４２，４３，１１３，１２７，１２８  傾斜面、４４，４５  切り欠き部、４６  ペースト状駆除剤、４７  固形駆除剤、５１  箱型捕獲用部材底面、５１ａ  捕獲用部材内側底面、５２  箱型捕獲用部材天板面、５３  箱型捕獲用部材右側面、５４  箱型捕獲用部材、５５，５６  側面侵入口、５９  箱型捕獲用部材左側面、７６  捕獲用部材侵入口、１０１  箱体底面、１０１ａ  箱体内側底面、１０１ｂ  箱体外側底面、１０２  扉形成面、１０２ａ  捕獲材収納部扉形成面、１０２ｂ  駆除剤収納部扉形成面、１０３，１０３ａ，１０３ｂ  箱体右側面、１０４  箱体、１０５，１０６，１２６  侵入口、１０９，１０９ａ，１０９ｂ  箱体左側面、１１０ｃ，１１０ｄ，１１０ｅ，１１０ｆ  凸フック、１１１，１１６，１１７  折れ線部、１１１ｃ，１１１ｄ，１１１ｅ，１１１ｆ  凹フック、１２１  捕獲材収納部、１２２  駆除剤収納部、１２３  段差、１２４  正面側面、１３１  開閉用窪み、１５１  凹部、１５２  凹部用区画、１５３  取付部、１５３ａ  取付部用窪み、２００  ゴキブリ駆除用ユニット。
【図１】
2010227049.tif 000003
【図２】
2010227049.tif 000004
【図３】
2010227049.tif 000005
【図４】
2010227049.tif 000006
【図５】
2010227049.tif 000007
【図６】
2010227049.tif 000008
【図７】
2010227049.tif 000009
【図８】
2010227049.tif 000010
【図９】
2010227049.tif 000011
【図１０】
2010227049.tif 000012
【図１１】
2010227049.tif 000013
【図１２】
2010227049.tif 000014
【図１３】
2010227049.tif 000015
【図１４】
2010227049.tif 000016
【図１５】
2010227049.tif 000017
【図１６】
2010227049.tif 000018
【図１７】
2010227049.tif 000019
【図１８】
2010227049.tif 000020
【図１９】
2010227049.tif 000021
【図２０】
2010227049.tif 000022
【図２１】
2010227049.tif 000023
【図２２】
2010227049.tif 000024
【図２３】
2010227049.tif 000025
【図２４】
2010227049.tif 000026
【図２５】
2010227049.tif 000027
【図２６】
2010227049.tif 000028
【図２７】
2010227049.tif 000029
【図２８】
2010227049.tif 000030
【図２９】
2010227049.tif 000031
【図３０】
2010227049.tif 000032
【図３１】
2010227049.tif 000033
【図３２】
2010227049.tif 000034
【図３３】
2010227049.tif 000035
【図３４】
2010227049.tif 000036
【図３５】
2010227049.tif 000037